【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
固有粘度として測定した分子量が少なくとも１．３ｄｌ／ｇであるポリアゾールに基づくポリマーであって、以下の工程：
Ａ）１以上の芳香族テトラ−アミノ化合物と、１以上の芳香族カルボン酸またはそれらのエステル（これは、カルボン酸モノマー当たり少なくとも２つの酸基を含む）とを混合する工程、あるいは１以上の芳香族および／またはヘテロ芳香族ジアミノカルボン酸を混合する工程；
Ｂ）該混合物（これは、工程Ｂ）に従って得られ得る）を、不活性ガス下、３５０℃まで、好ましくは３００℃までの温度へ加熱する工程；
Ｃ）工程Ｂ）に従って得られるマス（mass）の粉砕、および得られる粒子の分別工程；
Ｄ）３００μｍ〜１０００μｍの粒子フラクションを、不活性ガス下、４５０℃まで、好ましくは４００℃までの温度へ加熱し；そして冷却する工程、
からなる方法によって得ることができる、ポリマー。
【請求項２】
芳香族テトラ−アミノ化合物として、以下：
３，３’，４，４’−テトラ−アミノビフェニル、２，３，５，６−テトラ−アミノピリジン、１，２，４，５−テトラ−アミノベンゼン、３，３’，４，４’−テトラ−アミノジフェニルスルホン、３，３’，４，４’−テトラ−アミノジフェニルエーテル、３，３’，４，４’−テトラ−アミノベンゾフェノン、３，３’，４，４’−テトラ−アミノジフェニルメタン、および３，３’，４，４’−テトラ−アミノジフェニルジメチルメタン、
が使用されることを特徴とする、請求項１に記載のポリマー。
【請求項３】
芳香族ジカルボン酸として、以下：
イソフタル酸、テレフタル酸、フタル酸、５−ヒドロキシイソフタル酸、４−ヒドロキシイソフタル酸、２−ヒドロキシテレフタル酸、５−アミノイソフタル酸、５−Ｎ，Ｎ−ジメチルアミノイソフタル酸、５−Ｎ，Ｎ−ジエチルアミノイソフタル酸、２，５−ジヒドロキシテレフタル酸、２，５−ジヒドロキシイソフタル酸、２，３−ジヒドロキシイソフタル酸、２，３−ジヒドロキシフタル酸、２，４−ジヒドロキシフタル酸、３，４−ジヒドロキシフタル酸、３−フルオロフタル酸、５−フルオロイソフタル酸、２−フルオロテレフタル酸、テトラフルオロフタル酸、テトラフルオロイソフタル酸、テトラフルオロテレフタル酸、１，４−ナフタレンジカルボン酸、１，５−ナフタレンジカルボン酸、２，６−ナフタレンジカルボン酸、２，７−ナフタレンジカルボン酸、ジフェン酸、１，８−ジヒドロキシナフタレン−３，６−ジカルボン酸、ジフェニルエーテル−４，４’−ジカルボン酸、ベンゾフェノン−４，４’−ジカルボン酸、ジフェニルスルホン−４，４’−ジカルボン酸、ビフェニル−４，４’−ジカルボン酸、４−トリフルオロメチルフタル酸、２，２−ビス（４−カルボキシフェニル）ヘキサフルオロプロパン、４，４’−スチルベンジカルボン酸、４−カルボキシケイ皮酸、あるいはそれらのＣ１−２０アルキルエステルまたはＣ５−Ｃ１２アリールエステル、あるいはそれらの酸無水物またはそれらの酸塩化物、
が使用されることを特徴とする、請求項１に記載のポリマー。
【請求項４】
芳香族カルボン酸として、以下：
トリカルボン酸、テトラカルボン酸、あるいはそれらのＣ１−Ｃ２０アルキルエステルまたはＣ５−Ｃ１２アリールエステルあるいはそれらの酸無水物またはそれらの酸塩化物、好ましくは、１，３，５−ベンゼントリカルボン酸（トリメシン酸）；１，２，４−ベンゼントリカルボン酸（トリメリト酸）；（２−カルボキシフェニル）イミノ二酢酸、３，５，３’−ビフェニルトリカルボン酸；３，５，４’−ビフェニルトリカルボン酸、および／または２，４，６−ピリジントリカルボン酸、
が使用されることを特徴とする、請求項１に記載のポリマー。
【請求項５】
芳香族カルボン酸として、以下：
テトラカルボン酸、それらのＣ１−２０アルキルエステルまたはＣ５−Ｃ１２アリールエステルあるいはそれらの酸無水物またはそれらの酸塩化物、好ましくは、ベンゼン−１，２，４，５−テトラカルボン酸；ナフタレン−１，４，５，８−テトラカルボン酸、３，５，３’，５’−ビフェニルテトラカルボン酸、ベンゾフェノンテトラカルボン酸、３，３’，４，４’−ビフェニルテトラカルボン酸、２，２’，３，３’−ビフェニルテトラカルボン酸、１，２，５，６−ナフタレンテトラカルボン酸、または１，４，５，８−ナフタレンテトラカルボン酸、
が使用されることを特徴とする、請求項１に記載のポリマー。
【請求項６】
トリカルボン酸またはテトラカルボン酸の含有量が（使用されるジカルボン酸に対して）、０〜３０モル％、好ましくは０．１〜２０モル％、特には０．５〜１０モル％であることを特徴とする、請求項４に記載のポリマー。
【請求項７】
ヘテロ芳香族カルボン酸として、以下：
ヘテロ芳香族ジカルボン酸およびトリカルボン酸およびテトラカルボン酸（これらは、該環内に、少なくとも１つの窒素、酸素、硫黄、またはリン原子を含む）、好ましくは、ピリジン−２，５−ジカルボン酸、ピリジン−３，５−ジカルボン酸、ピリジン−２，６−ジカルボン酸、ピリジン−２，４−ジカルボン酸、４−フェニル−２，５−ピリジンジカルボン酸、３，５−ピラゾールジカルボン酸、２，６−ピリミジンジカルボン酸、２，５−ピラジンジカルボン酸、２，４，６−ピリジントリカルボン酸、ベンゾイミダゾール５，６−ジカルボン酸、ならびにそれらのＣ１−Ｃ２０アルキルエステルまたはＣ５−Ｃ１２アリールエステル、あるいはそれらの酸無水物またはそれらの酸塩化物、
が使用されることを特徴とする、請求項１に記載のポリマー。
【請求項８】
一般式（Ｉ）および／または（ＩＩ）および／または（ＩＩＩ）および／または（ＩＶ）および／または（Ｖ）および／または（ＶＩ）および／または（ＶＩＩ）および／または（ＶＩＩＩ）および／または（ＩＸ）および／または（Ｘ）の繰り返しアゾール単位：    
【化１】
2006509867.tif 000001
【化２】
2006509867.tif 000002
［ここで、
Ａｒは、同一または異なり、そして四価の芳香族またはヘテロ芳香族基（これは、単核または多核であり得る）を意味し；
Ａｒ１は、同一または異なり、そして二価の芳香族またはヘテロ芳香族基（これは、単核または多核であり得る）を意味し；
Ａｒ２は、同一または異なり、そして二価または三価の芳香族またはヘテロ芳香族基（これは、単核または多核であり得る）を意味し；
Ａｒ３は、同一または異なり、そして三価の芳香族またはヘテロ芳香族基（これは、単核または多核であり得る）を意味し；
Ａｒ４は、同一または異なり、そして三価の芳香族またはヘテロ芳香族基（これは、単核または多核であり得る）を意味し；
Ａｒ５は、同一または異なり、そして四価の芳香族またはヘテロ芳香族基（これは、単核または多核であり得る）を意味し；
Ａｒ６は、同一または異なり、そして二価の芳香族またはヘテロ芳香族基（これは、単核または多核であり得る）を意味し；
Ａｒ７は、同一または異なり、そして二価の芳香族またはヘテロ芳香族基（これは、単核または多核であり得る）を意味し；
Ａｒ８は、同一または異なり、そして三価の芳香族またはヘテロ芳香族基（これは、単核または多核であり得る）を意味し；
Ａｒ９は、同一または異なり、そして二価または三価または四価の芳香族またはヘテロ芳香族基（これは、単核または多核であり得る）を意味し；
Ａｒ１０は、同一または異なり、そして二価または三価の芳香族またはヘテロ芳香族基（これは、単核または多核であり得る）を意味し；
Ａｒ１１は、同一または異なり、そして二価の芳香族またはヘテロ芳香族基（これは、単核または多核であり得る）を意味し；
Ｘは、同一または異なり、そして酸素、硫黄またはアミノ基｛これは、水素原子、追加の基として、１〜２０の炭素原子を有する基（好ましくは、分枝または非分枝のアルキルまたはアルコキシ基、あるいはアリール基）を保有する｝を意味し；そして
ｎは、１０以上、好ましくは１００以上の整数である］
を含むことを特徴とする、請求項１に記載のポリマー。
【請求項９】
ポリベンゾイミダゾール、ポリ（ピリジン）、ポリ（ピリミジン）、ポリイミダソール、ポリベンゾチアゾール、ポリベンゾオキサゾール、ポリオキサジアゾール、ポリキノキサリン、ポリチアジアゾール、およびポリ（テトラアザピレン）（poly(tetrazapyrenes)）からなる群から選択されるポリマーであることを特徴とする、請求項８に記載のポリマー。
【請求項１０】
以下の式を有する繰り返しベンゾイミダゾール単位：
【化３】
2006509867.tif 000003
【化４】
2006509867.tif 000004
【化５】
2006509867.tif 000005
【化６】
2006509867.tif 000006
［ここで、ｎおよびｍは、１０以上、好ましくは１００以上の整数である］
を含むポリマーであることを特徴とする、請求項１に記載のポリマー。
【請求項１１】
工程Ｄ）において使用される粒子フラクションが、３００μｍ〜１０００μｍの粒子フラクションを少なくとも９０重量％含むことを特徴とする、請求項１に記載のポリマー。
【請求項１２】
極性・非プロトン性溶媒中の前記ポリマーの溶液、ならびに成形品、フィルム、繊維、および／またはコーティングの調製のための、請求項１に記載のポリマーの使用。
【請求項１３】
極性・非プロトン性溶媒中に溶解された請求項１に記載のポリマーを含有するポリマー溶液。
【請求項１４】
成形品、繊維、フィルム、および／またはコーティングの製造のための、請求項１３に記載のポリマー溶液の使用。
【請求項１５】
請求項１に記載の少なくとも１つのポリマーを含有する、成形品。
【請求項１６】
請求項１に記載の少なくとも１つのポリマーを含有する、繊維。
【請求項１７】
請求項１に記載の少なくとも１つのポリマーを含有する、フィルム。
【請求項１８】
請求項１に記載の少なくとも１つのポリマーを含有する、コーティング。